(57)【要約】  入／出力伝送線、パワー負荷分配バー及び接地プレートを規定する頂部面の入／出力ポート金属化パターンを有するセラミック単一ブロックフィルター。伝送線、パワー負荷分配バー及び接地プレートは、すべて、それぞれに対して指向して配置され、共振器のうちの２つは、パワー負荷取扱特性の増大を提供する負荷分割キャパシタを規定する。
2010530178.tif 000002
【特許請求の範囲】
【請求項１】
頂部、底部及び側部表面により規定され、前記側部及び底部表面が導電材料により実質的に覆われており、少なくとも１つの前記側部表面の前記導電材料が接地プレートを規定し、前記頂部表面が対向する上方及び下方周辺縦方向端部を規定する誘電体材料のブロックと、
前記頂部及び底部表面の間で前記ブロックを貫通して延在し、上記頂部表面において導電性共振器プレートを規定する導電材料により囲繞される離間した複数のスルーホールと、
入／出力伝送線を規定し、前記導電性共振器プレートの第１、第２のものの間に延びる導電材料の第１ストリップと、
前記頂部表面において前記導電性共振器プレートの前記第１、第２のもの及び前記対向する周辺縦方向端部の前記上方のものの間に概略規定される導電材料のバーと、
前記頂部表面のパワー負荷分割キャパシタを規定する前記接地プレート及び／又は前記バーと関連付けられた手段と、
を有するセラミック単一ブロックフィルター。
【請求項２】
前記パワー負荷分割キャパシタが、前記接地プレート及び前記バーとそれぞれ一体の導電材料の第１及び第２の延長ストリップにより規定される請求項１のセラミック単一ブロックフィルター。
【請求項３】
前記接地プレート及び前記バーとそれぞれ一体の導電材料の前記第１及び第２の延長ストリップが概略らせん形状であり、導電材料の前記第１及び第２の延長ストリップが相互に結合している請求項１のセラミック単一ブロックフィルター。
【請求項４】
前記バーと前記共振器プレートの第１及び第２のものの間のパワー負荷分割キャパシタを規定する前記バーと関連付けられた手段を更に有する請求項１に記載のセラミック単一ブロックフィルター。
【請求項５】
前記バーが、前記共振器プレートの前記第１及び第２のものの上に延在し、前記バーと前記共振器プレートの前記第１及び第２のもの間の前記それぞれのパワー負荷分割キャパシタを規定する対向する末端部分を含む請求項４に記載のセラミック単一ブロックフィルター。
【請求項６】
前記バーと前記入／出力伝送線の間のパワー負荷分割キャパシタを規定する前記バーに関連付けられた手段を更に有する請求項１に記載のセラミック単一ブロックフィルター。
【請求項７】
前記バーと前記入／出力伝送線の間の前記パワー負荷分割キャパシタが、前記入／出力伝送線を規定する材料のストリップに規定される溝に延び込む前記バーの導電材料のストリップにより規定される請求項６に記載のセラミック単一ブロックフィルター。
【請求項８】
頂部、底部及び側部表面により規定され、前記側部及び底部表面が導電材料により実質的に覆われた誘電体材料のブロックと、
前記ブロックの前記頂部及び底部表面の間に延在し、上記頂部表面において導電性共振器プレートを規定する導電材料により囲繞される離間した複数のスルーホールと、
前記頂部表面の導電材料のパターンであって、少なくとも、
前記頂部表面において前記複数の共振器の第１及び第２のものの間でこれらから離間して延在する導電材料の第１の細長いストリップにより規定される入／出力伝送線と、
前記第１及び第２の共振器を規定する前記スルーホールを囲繞する前記共振器プレートの少なくとも一部の上に重なって、これから離間して延在し、前記入／出力伝送線の上方端部に概略対向して、これらから離間した導電材料の第２のストリップにより規定されるバーと、
前記側部表面を覆う前記導電材料と結合し、前記バーに概略対向してこれから離間して配置される前記頂部表面上の導電材料の１以上の追加的なストリップにより規定される接地プレートとを有するパターンとを規定する前記頂部表面の導電材料のパターンとを有し、
前記接地プレート及び導電材料のそれぞれの延長ストリップを有する前記バーが前記バーと前記接地プレートとの間の負荷分割キャパシタを規定するセラミック単一ブロックフィルター。
【請求項９】
前記接地プレートと前記バーが、導電材料の離間して互い違いに組み合わされたそれぞれの延長ストリップを規定する請求項８に記載のセラミック単一ブロックフィルター。
【請求項１０】
前記それぞれの離間して互い違いに組み合わされた延長ストリップが概略らせん形状である請求項９に記載のセラミック単一ブロックフィルター。
【請求項１１】
前記入／出力伝送線及び前記バーが、前記バーと前記入／出力伝送線の間の負荷分割キャパシタを規定するそれぞれの離間して互い違いに組み合わされた延長ストリップを規定する請求項８に記載のセラミック単一ブロックフィルター。
【請求項１２】
頂部、底部及び側部表面により規定され、前記側部及び底部表面が導電材料により実質的に覆われた誘電体材料のブロックと、
前記頂部及び底部表面の間で前記ブロックを貫通して延在し、上記頂部表面において導電性プレートを規定する導電材料により囲繞される離間した複数のスルーホールと、
前記導電性プレートの第１及び第２のものの間に位置し、前記頂部表面上の導電材料の第１のストリップにより規定される入／出力伝送線と、
前記頂部表面上に規定される導電材料の第２のストリップにより規定される接地プレートと、
前記頂部表面上の導電材料の第３のストリップにより規定され、前記共振器プレートの第１及び第２のものの対向する部分に重なる対向する末端部を規定し、前記入／出力伝送線及び前記接地プレートの双方から離間し、少なくとも、前記接地プレートを規定する導電材料の前記第２のストリップと互い違いに組み合わされた導電材料の第１の延長ストリップと、少なくとも、導電材料の前記第１のストリップと互い違いに組み合わされた導電材料の第２の延長ストリップとを規定する負荷分割バーとを有するセラミック単一ブロックフィルター。
【請求項１３】
前記バーの導電材料の前記第１の延長ストリップと、前記接地プレートを規定する導電材料の前記第２のストリップとがともにらせん形状である請求項１２に記載のセラミック単一ブロックフィルター。
【請求項１４】
前記入／出力伝送線を規定する導電材料の前記第１のストリップが溝を規定し、前記バーの前記第２の延長ストリップが前記溝に突き出している請求項１２に記載のセラミック単一ブロックフィルター。
【請求項１５】
前記導電性プレートの前記第１及び第２のもののそれぞれが、少なくとも１の溝を規定し、前記バーが、前記導電性プレートに規定された前記溝に突き出したそれぞれの導電材料の追加的なストリップを規定する請求項１２に記載のセラミック単一ブロックフィルター。
【発明の詳細な説明】
【技術分野】
【０００１】
［関連出願の相互参照］
本出願は、２００７年６月１５日に出願された米国仮出願番号６０／９３４，８６３号の出願日の利益を主張する。米国仮出願番号６０／９３４，８６３は、本明細書中に参照されるすべての文献と同様に、参照により明示的に本明細書に組み込まれる。
【０００２】
本発明は、電気フィルタに関し、特に、フィルターのパワー負荷取扱能力の向上を提供するように適合され、構成されたフィルターの頂部表面に金属化パターンを有する誘電体セラミック単一ブロックフィルターに関する。
【背景技術】
【０００３】
セラミック誘電体ブロックフィルターは、空気−誘電体キャビティフィルターに対して多くの利点を提供する。ブロックは、比較的に容易に製造でき、頑丈であり、比較的コンパクトである。基本的なセラミックブロックフィルターのデザインでは、共振器は、ブロックの対向する頂部及び底部表面の間に延在するスルーホールと呼ばれる円筒状通路によって形成される。このブロックは、実質的に、その６つの（外側）側面のうちの１つを除く全ての側面上、及び共振器スルーホールにより形成される内壁上において、導電性材料により覆われる（即ち、金属化される）。
【０００４】
頂部表面の全部は金属化されないが、その代わりに、１連の共振器を介して入出力信号を結合させるように設計された金属化パターンを担持する。あるデザインでは、そのようなパターンは、入出力電極又はパッドが形成されるブロックの側面に延びる場合がある。
【０００５】
隣接する共振器間のリアクタンス結合は、少なくともある程度は、各共振器の物理的な寸法、他の共振器に対する各共振器の配向及び、頂部表面の金属化パターンの態様により支配される。
【先行技術文献】
【特許文献】
【０００６】
【特許文献１】国際公開ＷＯ０１／５２３４４号公報
【発明の開示】
【発明が解決しようとする課題】
【０００７】
このようなＲＦ信号フィルターは、１９７０年代から広く商業的に受け入れられてきたが、この基本設計についての改良の努力は現在に至るまで継続してきた。
【０００８】
例えば、高パワー用途のセラミックフィルターのパワー取扱能力を向上させる必要性が継続して存在している。現在、単一ブロックフィルターのパワー取扱能力の向上のために用いられる主要な手法は、セラミック本体サイズ及び／又は頂部パターンの間隙を最大限まで増大させることである。しかし、間隙の増大は、場合によって、フィルターの電気性能を低下させ、製造がセンシティブになる問題を生じさせる。更に、サイズ及びスペースに制限がある場合には、セラミック本体のサイズの増大は選択肢となり得ない。
【０００９】
従って、フィルターのサイズの増大や頂部の金属化パターンの間隙のサイズの増大を伴うことなく、パワー取扱能力の改善及び増大を提供できる改良されたＲＦ単一ブロックフィルターへの必要性が継続している。
【課題を解決するための手段】
【００１０】
頂部、底部及び側部表面により規定される誘電体材料のブロックを有し、前記側部及び底部表面が実質的に導電材料により覆われたセラミック単一ブロックフィルターを提供することが本発明の１つの特徴である。
【００１１】
複数の離間した共振器は、前記ブロックの前記頂部及び底部表面の間に延在し、導電共振器プレートを規定する導電材料により前記頂部表面において囲われる複数の離間した共振器スルーホールにより規定される。前記頂部表面の導電材料のパターンは、前記頂部表面上で、前記複数の共振器の第１及び第２のものの間でこれらから離間して延在する導電材料の第１の細長いストリップにより規定される少なくとも１の入／出力伝送線を規定する。
【００１２】
前記パターンは更に、導電材料の第２のストリップにより規定される頂部表面のバーを規定する。前記バーは、前記第１及び第２の共振器を規定する前記共振器プレートの上方でこれから離間して延在する。前記バーは、前記入／出力伝送線の上方端部に概略対向してこれから離間して配置される。
【００１３】
前記パターンは、前記頂部表面の導電材料の１以上の追加的なストリップにより規定される接地プレートを更に規定する。前記接地プレートは、前記側部表面を覆う前記導電材料に結合し、前記バーに概略対向してこれから離間して配置される。
【００１４】
１実施形態では、前記接地プレート及び前記バーは、前記バーと前記接地プレートの間の負荷分割キャパシタを規定する導電材料のそれぞれの互い違いに組み合わされた（interdigitated）延長ストリップを含む。１実施形態では、前記それぞれの離間して互い違いに組み合わされた延長ストリップは、概略らせん形状である。
【００１５】
前記入／出力伝送線と前記バーは、前記バーと前記入／出力伝送線の間の負荷分割キャパシタを規定する導電材料の離間して互い違いに組み合わされた追加的な延長ストリップを規定し得る。
【００１６】
追加的な負荷分割キャパシタは、前記バーの末端部分を前記第１及び第２の共振器のそれぞれの部分の上に延ばすことにより規定され得る。
【００１７】
これ以外にも、以下の本発明の好ましい実施形態の詳細な説明、図面及び添付請求項からより明確となる利点及び特徴が存在する。
【図面の簡単な説明】
【００１８】
本発明の種々の特徴は、後述の説明及び以下の通りの添付図面から最も良く理解することができる。
【図１】図１は、本発明の特徴が組み込まれたセラミック単一ブロックフィルターの拡大斜視図。
【図２】図２は、従来技術の入力ポートキャパシタ負荷金属化パターンを有するセラミック単一ブロックフィルターの頂部表面の頂部平面図。
【図３】図３は、図１のセラミック単一ブロックフィルターの頂部表面の金属化パターンの拡大頂部平面図。
【図４】図４は、図１のフィルターの入力ポートキャパシタ負荷金属化パターンの拡大頂部平面図。
【図５】図５は、図２の従来技術のフィルターの入力ポート金属化パターンにより規定される電気回路の概略図。
【図６】図６は、図１及び４に示される本発明のフィルターの入力ポート金属化パターンにより規定される電気回路の概略図。
【図７】図７は、図２の従来技術のフィルターのパワー取扱特性を示すグラフ。
【図８】図８は、図１のフィルターのパワー取扱特性を示すグラフ。
【図９】図９は、図１，２のフィルターの性能特性を比較するグラフ。
【図１０】図１０は、図１，２のフィルターの遅延特性を比較するグラフ。
【発明を実施するための形態】
【００１９】
本発明は、多くの異なる態様の実施例を許容するものであるが、本明細書及び添付の図面は、本発明の例として１つの好ましい形態のみを開示している。しかし、本発明は、そのように開示される実施例に限定されるものではない。本発明の範囲は、添付の特許請求の範囲により特定される。
【００２０】
図１，３及び４は本発明のパワー取扱性を増大、改善する金属化パターンの特徴を取り入れたフィルター１００の好ましい実施形態を示す。
【００２１】
フィルター１００は、誘電材料から成り、導電材料で選択的に被覆された（メッキされた／plated）ブロック１１０を含む。ブロック１１０は、頂部表面又は面１１２、底部表面（不図示）及び４つの側部表面又は面１１６，１１７，１２０及び１２２を有する。フィルター１００は、低損失で、高い誘電率と低い温度係数を有する任意の適切な誘電体材料で形成することができる。
【００２２】
ブロック１１０の被覆（メッキ／plating）又は材料は、電気的に伝導性で、好ましくは銅、銀又はその合金である。そのような被覆又は材料は、頂部表面１１２を例外として、好ましくはブロック１１０のすべての表面を覆うことで接地（ground）を規定する。被覆については、ある程度の詳細が以下に記述される。
【００２３】
図１，３，４の実施形態では、ブロック１１０は、それぞれが頂部表面１１２から底部表面（不図示）に延在する８つのスルーホール１０１，１０２，１０３，１０４，１０５，１０７，１０８（１０１−１０８）を含む。スルーホール１０１−１０８を規定する内壁は同様に電気導電材料で被覆されている。被覆されたスルーホール１０１−１０８のそれぞれは、本質的に、所望のフィルター応答特性のために選択された長さを有する短絡同軸伝送線を構成する伝送線共振器／極である。スルーホール１０１−１０８の追加的な記述については、ソコラ等への米国特許第４，４３１，９７７号を参照することができる。ブロック１１０は、８つのスルーホール１０１−１０８を備えるように示されているが、本発明はこれには限定されず、より多数又はより小数のスルーホールを有するフィルターを包含する。
【００２４】
ブロック１１０の頂部表面は、対向する縦方向端部１３０，１３３、対向する周辺側端１１５，１１９を規定し、ブロック１１０の被覆と類似の電気導電材料により選択的に被覆されている。この選択的被覆は、それぞれのＲＦ信号入／出力（Ｉ／Ｏ）伝送線／パッド／被覆、特に、入力電極／ポート／線１１４及び出力電極／ポート／線１１８を含み、規定している。スルーホール１０１，１０２，１０３，１０４，１０５，１０６，１０７，１０８をそれぞれ囲繞し、これとの組み合わせでそれぞれの共振器を規定する導電共振器プレート（被覆／plate）１２１，１２２，１２３，１２４，１２５，１２６，１２７，１２８（１２１−１２８）もまた含まれる。各プレート１２１，１２２，１２３，１２４，１２５，１２６，１２７，１２８は、導電材料の無い領域で分離されており、それぞれが、例えば、プレート１２６の端部１２６Ａ、プレート１２７の端部１２７Ａ及びこれらの間の金属化されない領域１１２Ａを特定する図３に示されるような、それぞれの対向して離間したプレート端部を規定する。
【００２５】
頂部表面１１２は、更に、少なくとも４つの接地プレート１３１，１３２，１３４，１４５を規定する。プレート１２１−１２８は、被覆されたスルーホール１０１−１０８により提供される伝送線共振器を、それぞれの側部及び底部表面を覆う接地材料に結合する接地プレート又はストリップ１３１，１３２，１３４，１３５に容量的に結合させる。プレート１２１−１２８の部分は、更に、関連するスルーホール１０１−１０８の共振器を入力電極１１４及び出力電極１１８に結合させる。
【００２６】
接地プレート又はストリップ１３１は、頂部フィルター表面１１２上に配置され、入／出力ポート１１４，１１８の間で概略縦方向に頂部表面１１２の周辺下方端部の中央部分に沿って延びている。プレート１３１の対向する末端部は、ポート１１４，１１８から離間している。接地プレート１３２は、フィルター頂部表面１１２上に配置され、概略側部表面１２０の端部と出力ポート１１８の間で頂部表面１１２の下方端部に沿って概略縦方向に延びている。プレート１３２は、ポート１１８から離間している。接地プレート１３４は、頂部フィルター表面１１２上に配置され、概略反対の側部表面１２２の端部と入力ポート１１４の間で表面１１２の下方端部に沿って延びている。プレート１３４は、ポート１１４から離間している。接地プレート又はストリップ１３５は、頂部表面１１２上に配置され、フィルター１１０の上方縦方向端部１３３に沿ってフィルターの全長に渡って延びている。
【００２７】
被覆されたスルーホール１０１−１０８により提供される伝送線共振器間の結合は、少なくとも部分的にはブロック１１０の誘電材料を介して達成され、誘電材料の幅及び隣接する伝送線共振器の間の距離を変化させることで変化する。隣接するスルーホール１０１−１０８間の誘電材料の幅は、例えば、スロット、円筒状の穴、方形又は矩形の穴、又は、不規則形状の穴の使用など、本技術分野で公知の任意の規則的又は不規則的な態様で調節することが可能である。
【００２８】
本発明は、以下に詳述するように、フィルター１００の頂部表面１１２の金属化パターン、より特定的には、接地への容量結合を改善し、それにより、フィルターのパワー負荷特性及び能力を増大させるように適合された入力パッド又はポート１１４の領域における金属化パターンの部分に向けられている。
【００２９】
図４を参照すると、入力伝送ポート又はパッド又は線１１４は、頂部及び側部表面１１２，１１８をそれぞれ跨ぐ金属化された／導電材料の細長いストリップにより規定されることが理解される。より詳細には、入力ポートは、側部表面１１８に位置する導電材料のストリップの第１の部分、側部表面１１８と頂部表面１１２の間の端部を覆って跨る第２のストリップ、及び、概略金属化された共振器プレート１２７，１２８の間でこれらから離間して延びる第３の細長いストリップ部分を規定する。入力ポート又はパッド１１４は、好ましくは、共振器プレート１２７，１２８から離間したこれらと平行な関係で頂部上方及び下方の縦方向フィルター端部１３０，１３３をそれぞれ概略横切る関係で延在する。
【００３０】
図１，４の特定の実施形態では、入力パッド１１４は、更に、入力パッド１１４のそれぞれの共振器プレート１２７，１２８の間に延びる頂部部分の対向する側部から概略垂直に外方に延びる複数のフィンガー１３６，１３８，１４０を規定する金属化された材料のストリップを規定する。フィンガー１３６，１３８，１４０は、それぞれの共振器プレート１２７，１２８に規定された溝１４２，１４４，１４６のそれぞれと一体化している（に突き出している）。溝１４２，１４４，１４６は、もちろん金属化された材料の無い領域を規定する。フィンガー１３６，１４８，１４０は、プレート１２２，１２８を規定する金属化された材料から離間している。
【００３１】
それぞれの共振器プレート１２７，１２８の間に延びる入力パッド１１４の頂部部分は、更に、上方頂部縦方向フィルター端部１３０，１３３に概略垂直な方向に延びる少なくとも２つの枝角（tine）１４４，１４６を有するフォーク（分岐）を規定する中央の細長い溝１４２を規定する。溝１４２は、導電材料の無い領域を規定する。
【００３２】
フィルター１００の入力側の金属化パターンは、更に、それぞれの共振器プレート１２７，１２８の上方に位置し、それぞれの共振器プレート１２７，１２８の上方端部に概略平行で、これらから離間した方向及び配置で延在する金属化された導電材料の細長いストリップ又はバー１４８により規定される。バー１４８は、下方及び上方の縦方向フィルター端部１３０，１３３に平行の方向に延びている。
【００３３】
より特定的には、バー１４８は、中央部分及び対向する末端部分１５０，１５２を規定する。中央部分は、バーの枝角１４４，１４６の端部に概略対向するように位置し、配置されており、それぞれの末端部分１５０，１５２は、共振器プレート１２７，１２８に概略平行でこれらから離間した関係をもって、共振器プレート１２７，１２８のそれぞれの少なくとも１／４の上に重なって延びている。バー１４８はプレート１２７，１２８の上部から離間している。
【００３４】
共振器プレート１２７は、更に、バー１４８を概略横切る関係をもって、概略その上部縦方向端部から概略垂直に外方に上方に向けて突き出した、バー１４８の末端部分１５０から離間した金属化された導電材料のストリップ又はフィンガー又は延長部１５４を規定する。共振器プレート１２８は、バー１４８の対向する末端部分１５２から離間した上方肩部１５６を規定する。
【００３５】
バー１４８は、更に、バー１４８の下方端部から概略垂直に外方に下方に向けて延びる金属化された導電材料の概略中央に位置する細長い第１の延長部又はストリップ又はフィンガー１５７を規定する。延長部１５７は、入力パッド１１４の頂部部分に規定された細長い溝１４２と互い違いに組み合わされている（に突き出している）。延長部１５７は入力パッド１１４を規定する導電材料から離間している。
【００３６】
バー１４８は、更に、それぞれのバー末端部分１５０，１５２の上方縦方向端部から概略垂直に上方に外方に向けて突き出して延びる１対の第２、第３の細長い金属化された延長部／ストリップ／フィンガー１５８，１６０を規定する。バー延長部１５８，１６０は、相互に相対的に離間して平行に指向して配置されている。一対の更なる延長部／ストリップ／フィンガー１６２，１６４が、バー延長部１５８，１６０のそれぞれの対向する内側端部から概略垂直に内側に向けて突き出している。延長部１６２，１６４は、折れ曲がった、湾曲した、或いは、らせん状のフィンガーを規定する。
【００３７】
バー１４８は、更に、バー１４８の頂部端部に向かって突き出し、その長さに沿って、概略離間して平行な関係で延びる複数の溝１６６，１６８，１７０を規定する。溝１６６，１６８，１７０は、導電材料の無い領域を規定する。
【００３８】
本発明に従う金属化パターンは、フィルター１００の頂部端部１３３に沿って延びる接地プレート１３５から一体になって内側及び外側に突き出した頂部フィルター表面１１２上の１以上の金属材料のストリップ又はバー又は延長部又はフィンガーから成る接地プレート延長部１７２を有する。
【００３９】
接地プレート延長部１７２は、バー１４８から概略対向して離間して位置する。図１，４の実施形態では、接地プレート延長部１７２は、金属化材料のそれぞれのストリップ１７４，１７６，１７８により規定され、これらは協働して「Ｉ部材」形状の金属化パターンを規定する。ストリップ１７４は、プレート１３５と一体でこれの一部を成す延長部であり、フィルターの頂部フィルター端部１３３に沿って延び、好ましくは、接地プレート１３５の幅よりも大きい幅を有する。ストリップ１７８は、ストリップ１７４から離間し、これらの間で概略横断する関係で延びるストリップ１７６によって相互に結合されている。
【００４０】
本発明に従えば、接地プレート延長部１７２、より特定的には、そのストリップ１７４，１７８は、バー１４８から離間して分離されている。
【００４１】
接地プレート延長部１７２は、更に、ストリップ１７４の対向する末端部分から下方に及び内側に向けて延び、図示の例では、バー１４８上に規定されるフィンガー１６２，１６４と形状及び構成において類似するが、鏡像の関係にあるそれぞれの湾曲した、又は、らせん形状の末端フィンガー１８０，１８２を規定する１対の金属化材料のストリップ、延長部又はフィンガーにより規定される。
【００４２】
らせん形状のフィンガー１６２，１６４及びフィンガー１８０，１８２は、それぞれ、離間した関係で相互にかみ合わされ（meshed）／編み込まれ（interwoven）／相互結合され（interconnected）／かみ合わされ（interdigitated）ており、以下に更に詳述されるように、バー１４８と接地プレート１３５の間の間接的な容量結合を規定するように導電材料の無い領域により分離され、取り囲まれている。
【００４３】
図４の実施形態では、接地プレート延長部１７２は、次の関係をもって、バー１４８のフィンガー１５８，１６０の間に規定されるスペースに概略位置している。すなわち、接地プレート延長部１７２のストリップ１７８は、バー１４８と平行で離間している；ストリップ１７９上のタブ又はフィンガー２００は、バー１４８を規定する導電材料から離間した関係をもって、バー１４８に規定されるそれぞれの溝１６６，１６８，１７０と互い違いに組み合わされており（に突き出しており）、接地プレート延長部１７２のフィンガー１８０，１８２は、バー１４８のそれぞれのフィンガー１５８，１６０から離間している。タブ２００は、ストリップ１７８から概略垂直に外方に向けて延びている。
【００４４】
頂部表面１１２は、頂部接地プレート１３５から垂直に内側に向けて延びる導電材料の更なるストリップ２０２を規定する。ストリップ２０２は、一方においてはバー延長部１６０、他方においては共振器プレート１２８の左側端部の間でこれらから離間して配置されている。ストリップ２０２とバー延長部１６０は、相互に平行な関係で配置されている。
【００４５】
背景として、フィルターのパワー取扱性は、蓄えられたエネルギーの最大の増大を伴う要素に直接関係することが知られている。セラミック単一ブロックフィルターでは、セラミックブロックに組み込まれた回路パターンは、接地に対するキャパシタと共振器間のキャパシタを形成する。蓄えられたエネルギーが最大のキャパシタは、大パワーによるアークの可能性が最大の要素である。本発明の入力パッド金属化パターンは、アークの可能性が最大の要素を改変することでセラミック単一ブロックフィルターのパワー取扱性を増大させる。これは、２以上の直列に接続されたキャパシタ間に蓄えられるエネルギーを分割することによって行われる。
【００４６】
下のイラストＡは、１ボルトが印加された１ファラドのキャパシタを示す。この例では、蓄えられたエネルギー「Ｅ」は１／２ＣＶ２に等しい。これは、（１／２）×（１Ｆ）×（１Ｖ）＝１／２ジュールと計算される。もしイラストＡの回路がイラストＢに示される投下電気回路に変更されると、アークの可能性は低下する。
＜イラストＡ＞
2010530178.tif 000003
【００４７】
下のイラストＢでは、回路に蓄えられる全エネルギーはやはり１／２ジュールである。しかし、各キャパシタ（Ｃ１及びＣ２）に蓄えられるエネルギーは１／２Ｃ１×Ｖ１２＝１／２Ｃ２×Ｖ２２に等しい。これは、（１／２）×（２Ｆ）×（１・２）２＝１／４ジュールと計算される。各キャパシタは、イラストＡのキャパシタで蓄えられるエネルギーの１／２を有する。蓄えられたエネルギーは電圧の２乗（Ｖ２）と関係することに留意すべきである。電磁理論では、電界強度は電圧に直接関係する。アークは、電界強度が空気の破壊電圧（２９０００Ｖ／ｃｍ）を超えて増大し、キャパシタの２つの金属プレートの間に導電経路が形成されたときに発生する。空気の破断は、Ｖ／ｃｍの単位を有し、もちろん、アークにおいてキャパシタのプレートの間隔が重要な変数であることを意味する。キャパシタのプレートが相互により接近すると、アークの可能性は増大する。
＜イラストＢ＞
2010530178.tif 000004
【００４８】
イラストＢの容量値はイラストＡの容量値よりも大きい。容量値が大きくなればなるほど、金属プレートはより接近して配置されなければならない。これはパワー取扱性を低下させる。しかし、単一ブロックフィルター上でのスペースが許せば、より広いプレート間の間隔を保ちつつ、所望の容量値を維持するように、プレートの表面積を増大させることができる。より少ない容量貯留エネルギーとの組み合わせで広いプレート間隔は、フィルターのパワー取扱性を増大させることができる。
【００４９】
本発明に従えば、特に図４，６を参照すると、入力伝送線又はポート１１４、共振器１２７，１２８及び接地プレート延長部１７２は協働して、パワー負荷分配バー１４８を介して入力伝送線又はポート１１４への複数の容量負荷源を規定することが理解できる。より詳細には、接地延長部プレート１７２の極性は負であり、入力パッド１１４の極性は正であることが理解される。フィルター１００に負荷が加えられたときに、バー１４８を規定する金属化パターンの極性は正に変化する。上記のように、バー１４８は、複数の源に容量的に負荷されているため、本技術分野で知られ、図２に示される従来技術のフィルター３００の入力ポート金属化パターン３０２に示されるように、効果は、入力を直接接地に負荷するのと同じである。
【００５０】
図５は、従来技術のフィルター３００の入力金属化パターン３０２の電気的方法論及び回路の概略図である。図６は、本発明の入力金属化パターンの分割された電気的方法論及び回路の概略図である。
【００５１】
しかし、本発明に従う金属化パターンは、バー１４８の全長に渡ってパワー負荷の分配を促進する利益を得ることができ、従って、フィルターが取り扱えるパワー負荷の量が増大する。
【００５２】
詳細には、更に図４，６を参照すると、イラストBに示される原理に従うと、バー１４８の下方への延長部１５７は、バー１４８と入力ポート１１４の間のパワー負荷を分割するバー１４８と入力ポート１１４の間のキャパシタ２１０を規定し；バー１４８の末端部分１５０，１５２はそれぞれの共振器プレート１２７，１２８の一部に延び込んで重なり、共振器プレート１２７，１２８のそれぞれの間の負荷を分割するバー１４８と共振器プレート１２７，１２８の間のそれぞれの追加的なキャパシタ２１２，２１４を規定し；バー１４８の延長部１５８，１６０は、接地プレート延長部１７２と協働して、入力ポート１１４と接地プレート１３５の間の負荷を分割する追加的なキャパシタ２１６を規定する。
【００５３】
本発明の金属化パターンの好ましい実施形態に従えば、図４のＸで一般的に示される共振器１２７のフィンガー１５４とバー１４８の末端部１５０の間の距離は約０．００７インチであり；図４のＹで一般的に示される接地バー１７８とパワー負荷分配バー１４８の間の距離は好ましくは約０．００７インチであり；図４で一般的にＺで示される接地バー１７９と入力伝送ポート１１４の頂部末端部の間の距離は好ましくは０．０３インチである。
【００５４】
図７，８は、協働して、本発明に従う金属化パターンが、終局的な故障が生じるまでに、（図２の従来技術のフィルターについて図７に示されるように）約４７ｄｂｍ／５０ワットから（図１のフィルターについて図８に示されるように）約４９ｄｂｍ／７９ワットへの増大の提供を示すことを示している。
【００５５】
図９は、本発明に従う金属化パターンは、図２の従来技術のフィルターに類似する「帯域内（in band）」性能特性を示すフィルターを作る一方で、バー１４８を介する接地及び電源分割のより大きい負荷の結果として、増大した「帯域外（out of band）」阻止を提供することを示す。図９のライン４００は、図２のフィルターの性能を示す。図９のライン４０２は、本発明のフィルターの性能を示す。
【００５６】
図１０は、本発明に従う金属化パターンはフィルターが増大したパワー負荷を取り扱うことを可能にするだけでなく、フィルター１００に生じる遅延の増大を有利に発生させ、それにより、もちろん、フィルター１００がより長い時間に渡ってより高いパワー負荷を取り扱うことが可能になる。図１０のライン５００は、図２のフィルターの性能を示す。図１０のライン５０２は、本発明のフィルターの性能を示す。
【００５７】
本発明の新規な特徴の精神及び範囲を逸脱しない範囲で上記した実施形態の多数の改変、変更を行い得る。ここの開示された特定の構成単位に関する何らの限定も意図も示唆もされていない。
【図１】
2010530178.tif 000005
【図２】
2010530178.tif 000006
【図３】
2010530178.tif 000007
【図４】
2010530178.tif 000008
【図５】
2010530178.tif 000009
【図６】
2010530178.tif 000010
【図７】
2010530178.tif 000011
【図８】
2010530178.tif 000012
【図９】
2010530178.tif 000013
【図１０】
2010530178.tif 000014
【国際調査報告】
2010530178.tif 000015
2010530178.tif 000016
2010530178.tif 000017